(57)【要約】【課題】  表示内容を見ているときに、表示内容が消えてしまうことを防止すること。【解決手段】  コレステリック液晶表示体１０に前回の画面リフレッシュが行われてから一定時間以上経過した後、利用者が表示内容を見ていないときに、コレステリック液晶表示体１０に画面リフレッシュを行うようにした。そのため、例えば、単に一定時間が経過したときに画面リフレッシュを行う方法と異なり、利用者が表示内容を見ているときに、画面リフレッシュの実行を控えて、表示内容が消えてしまうことを防止できる。【選択図】  図１
2007094275.tif 000002
【特許請求の範囲】
【請求項１】
表示内容を保持し続ける記憶性表示体に情報を表示するとともに、前記記憶性表示体に任意のタイミングで画面リフレッシュを行う情報表示装置であって、
前記記憶性表示体に前回の画面リフレッシュが行われてから所定時間以上経過したことを検出する時間経過検出手段と、前記記憶性表示体の表示内容が見られているか否かを判定する閲覧状態検出手段と、前記一定時間以上の時間が経過したことが検出された後、前記表示内容が見られていないと判定されると前記記憶性表示体に再度画面リフレッシュを行う画面リフレッシュ手段と、を備えたことを特徴とする情報表示装置。
【請求項２】
前記記憶性表示体の表示内容を見ることができる範囲に人間がいるか否かを検出する人感センサを備え、前記閲覧状態検出手段は、前記範囲に人間がいないことが検出されると、前記表示内容が見られていないと判定することを特徴とする請求項１に記載の情報表示装置。
【請求項３】
前記記憶性表示体の表示内容を見ることができる範囲の画像を撮像する撮像手段と、その画像内に人間がいるか否かを検出する画像処理手段と、を備え、前記閲覧状態検出手段は、前記範囲に人間がいないことが検出されると、前記表示内容が見られていないと判定することを特徴とする請求項１に記載の情報表示装置。
【請求項４】
前記記憶性表示体は、入射光を反射することで表示を行う反射型表示体であり、
さらに、前記記憶性表示体への入射光量を検出する光センサを備え、
前記閲覧状態検出手段は、前記記憶性表示体への入射光量が前記記憶性表示体の表示内容を見ることが困難な光量であることが前記光センサで検出されると、前記表示内容が見られていないと判定することを特徴とする請求項１に記載の情報表示装置。
【発明の詳細な説明】
【技術分野】
【０００１】
本発明は、一度表示した表示内容を次回の書き換え動作が行われるまで保持し続ける記憶性表示体に情報を表示する情報表示装置に関する。
【背景技術】
【０００２】
従来、この種の技術としては、コレステリック液晶表示体や電気泳動表示体等の記憶性表示体に情報を表示して閲覧させる表示装置がある（例えば、特許文献１参照）。
このような記憶性表示体にあっては、一度表示した表示内容を次回の書き換え動作が行われるまで保持し続けるため、表示内容の書き換えを長期間行わないと、表示内容を変えられなくなるいわゆる焼き付きが生じる恐れがある。そのため、一般に、記憶性表示体が焼き付きを生じる時間よりも短い一定時間が経過するたびにタイマ割り込みを起動し、記憶性表示体に画面リフレッシュ（例えば、記憶性表示体の全画素を黒色とする書き換えを行った後、もとの表示内容に再度書き換える動作）を行うようになっている。
【特許文献１】特開２０００−２８４７６０号公報
【発明の開示】
【発明が解決しようとする課題】
【０００３】
しかしながら、上記従来技術にあっては、単に一定時間が経過するたびに画面リフレッシュを行うようになっているため、ポスターやサインボードのように恒常的に表示させておくことが要求される用途に用いた場合、表示内容を見ているときにタイマ割り込みが入ることで、表示内容が消え、その結果、利用者に不快感を与えてしまう恐れがある。
本発明は、上記従来の技術の未解決の課題を解決することを目的とするものであって、利用者が見ているときに、表示内容が消えてしまうことを防止できる情報表示装置を提供することを課題とする。
【課題を解決するための手段】
【０００４】
上記課題を解決するために、本発明の情報表示装置にあっては、表示内容を保持し続ける記憶性表示体に情報を表示するとともに、前記記憶性表示体に任意のタイミングで画面リフレッシュを行う情報表示装置であって、前記記憶性表示体に前回の画面リフレッシュが行われてから所定時間以上経過したことを検出する時間経過検出手段と、前記記憶性表示体の表示内容が見られているか否かを判定する閲覧状態検出手段と、前記一定時間以上の時間が経過したことが検出された後、前記表示内容が見られていないと判定されると前記記憶性表示体に再度画面リフレッシュを行う画面リフレッシュ手段と、を備えたことを特徴とする。
【０００５】
また、前記記憶性表示体の表示内容を見ることができる範囲に人間がいるか否かを検出する人感センサを備え、前記閲覧状態検出手段は、前記範囲に人間がいないことが検出されると、前記表示内容が見られていないと判定するようにしてもよい。
さらに、前記記憶性表示体の表示内容を見ることができる範囲の画像を撮像する撮像手段と、その画像内に人間がいるか否かを検出する画像処理手段と、を備え、前記閲覧状態検出手段は、前記範囲に人間がいないことが検出されると、前記表示内容が見られていないと判定するようにしてもよい。
【０００６】
また、前記記憶性表示体は、入射光を反射することで表示を行う反射型表示体であり、さらに、前記記憶性表示体への入射光量を検出する光センサを備え、前記閲覧状態検出手段は、前記記憶性表示体への入射光量が前記記憶性表示体の表示内容を見ることが困難な光量であることが前記光センサで検出されると、前記表示内容が見られていないと判定するようにしてもよい。
【０００７】
このような構成によれば、利用者が表示内容を見ていないときに、画面リフレッシュを実行することができる。そのため、利用者が表示内容を見ているときに、画面リフレッシュの実行を控え、表示内容が消えてしまうことを防止することができる。
【発明を実施するための最良の形態】
【０００８】
以下、本発明の表示体を、駅のホームに設置され、電車の発着時刻を記す時刻表の案内板に適用した例を図面に基づいて説明する。
即ち、この案内板は、時刻表をコレステリック液晶表示体に表示させ、ダイヤ改正のたびに表示内容を変更する手間を軽減するようにしたものであり、コレステリック液晶表示体に画面リフレッシュ（全画素を黒色とする書き換えを行った後、もとの表示内容に再度書き換える動作）が行われてから一定時間以上経過した場合、案内板の表示内容を見ることができる範囲に人間がいないときに、再度画面リフレッシュを行って、コレステリック液晶表示体の焼き付きを防止できるようになっている。
【０００９】
＜案内板の構成＞
図１は、本実施形態の案内板の外形を示す概略構成図である。この図１に示すように、案内板１は、リアルタイムクロックモジュール（ＲＴＣ）２、人感センサ３、アナログ・デジタル変換器（ＡＤＣ）４、割り込み制御装置５、リードオンリーメモリ（ＲＯＭ）６、ランダムアクセスメモリ（ＲＡＭ）７、中央処理装置（ＣＰＵ）８、表示体制御装置９及びコレステリック液晶表示体１０を含んで構成され、人感センサ２、アナログ・デジタル変換器（ＡＤＣ）３、リアルタイムクロックモジュール（ＲＴＣ）４及び割り込み制御装置５を除く各部はバス１１で互いにデータ授受可能に接続されている。
【００１０】
ＲＴＣ２は、コレステリック液晶表示体１０に画面リフレッシュが行われてから予め定められた一定時間（コレステリック液晶表示体１０が焼き付きを生じる時間よりも短い一定時間。例えば、６時間）が経過すると、コレステリック液晶表示体１０の画面リフレッシュの実行を要求するリフレッシュ要求信号を割り込み制御装置５に出力する。
人感センサ３は、案内板１の表示内容を見ることができる範囲に人間がいることを赤外線によって検出し、その検出結果を示すアナログ信号をＡＤＣ４に出力する。
【００１１】
ＡＤＣ４は、人感センサ３から出力されるアナログ信号をデジタル信号（案内板１の表示内容を見ることができる範囲に人間がいる場合には「０」をとり、前記範囲に人間がいない場合には「１」をとる信号）に変換して割り込み制御装置５に出力する。
割り込み制御装置５は、ＲＴＣ２からリフレッシュ要求信号が出力されるとリフレッシュフラグを「１」のセット状態とする。また、割り込み制御装置５は、ＡＤＣ４から出力されるデジタル信号とリフレッシュフラグとに基づいて、画面リフレッシュの実行を要求するリフレッシュ要求割り込み信号をＣＰＵ８に出力する演算処理（後述）を実行する。
【００１２】
ＲＯＭ６は、ＣＰＵ８により実行される基本制御プログラムやアプリケーションプログラム等の各種プログラム及びこれら各種プログラムに係るデータを格納する。
ＲＡＭ７は、ＣＰＵ８により実行される各種プログラムを展開するワークエリアを形成するとともに、各種プログラムに係るデータを記憶するメモリ領域を形成する。
ＣＰＵ８は、ＲＯＭ６に格納されている各種プログラムを読み込み、それらをＲＡＭ７内に形成されるワークエリアに展開して実行し、各部２〜１０を制御する。そして、ＣＰＵ８は、利用者により示内容（時刻表）の変更のための操作がされると、当該時刻表が表示されるように、表示体制御装置９にコレステリック液晶表示体１０を駆動させる。また、ＣＰＵ８は、割り込み制御装置５からリフレッシュ要求割り込み信号が出力されると、表示体制御装置９にコレステリック液晶表示体１０の画面リフレッシュを行わせる。
【００１３】
表示体制御装置９は、ＣＰＵ７からの指令により、その指令に応じた時刻表が表示されるように、コレステリック液晶表示体１０を駆動する。また、表示体制御装置９は、ＣＰＵ７からの指令により、コレステリック液晶表示体１０に画面リフレッシュを行う。
コレステリック液晶表示体１０は、表示体制御装置９により駆動され、その駆動状態に応じた画像（時刻表の画像、全面黒色のリフレッシュ用画像）を表示面に表示する。
【００１４】
＜割り込み制御装置の動作＞
次に、割り込み制御装置１４で実行される演算処理を、図２のフローチャートに基づいて説明する。この演算処理は、案内板１の電源がＯＮ状態とされると実行される処理であって、まずそのステップＳ１で、リフレッシュフラグが「１」のセット状態であり且つＡＤＣ４から出力されるデジタル信号が「１」であるか否かを判定する。リフレッシュフラグ及びデジタル信号の両方が「１」である場合には（Ｙｅｓ）ステップＳ３に移行し、少なくとも一方が「１」でない場合には（Ｎｏ）ステップＳ２に移行する。
【００１５】
前記ステップＳ２では、リフレッシュフラグが「１」のセット状態であり且つ当該リフレッシュフラグが「１」となってから所定時間（コレステリック液晶表示体１０が焼き付きを起こすよりも短い時間）が経過したか否かを判定する。リフレッシュフラグがセット状態であり且つ前記所定時間が経過した場合には（Ｙｅｓ）前記ステップＳ３に移行し、前記所定時間が経過していない場合には（Ｎｏ）前記ステップＳ１に移行する。
【００１６】
前記ステップＳ３では、リフレッシュ要求割り込み信号をＣＰＵ１１に出力する。
次にステップＳ４に移行して、リフレッシュフラグを「０」のリセット状態（画面リフレッシュの実行を要求していない状態）としてから、この演算処理を終了する。
【００１７】
＜案内板の具体的動作＞
次に、本実施形態の案内板１の動作を具体的状況に基づいて詳細に説明する。
まず、コレステリック液晶表示体１０に画面リフレッシュが行われてから予め定められた一定時間が経過したとする。すると、ＲＴＣ２で、リフレッシュ要求信号が割り込み制御装置５に出力され、割り込み制御装置５で、リフレッシュフラグが「１」のセット状態とされる。また、その際、時刻表の案内板１を見ている人間がいたとすると、人感センサ３で、案内板１の表示内容を見ることができる範囲に人間がいることが検出され、その検出結果を示すアナログ信号がＡＤＣ４に出力され、ＡＤＣ４で、その出力されたアナログ信号がデジタル信号「０」（案内板１の表示内容を見ることができる範囲に人間がいることを示すデジタル信号）に変換されて割り込み制御装置５に出力される。そして、割り込み制御装置５で実行される演算処理により、図２に示すように、ステップＳ１及びＳ２の判定が「Ｎｏ」となり、当該ステップＳ１及びＳ２の判定が繰り返される。
【００１８】
ここで、案内板１を見ている人間がいなくなり、人感センサ３で、案内板１の表示内容を見ることができる範囲に人間がいることが検出されず、その検出結果を示すアナログ信号がＡＤＣ４に出力され、ＡＤＣ４で、その出力されたアナログ信号がデジタル信号「１」（案内板１の表示内容を見ることができる範囲に人間がいないことを示すデジタル信号）に変換されて割り込み制御装置５に出力される。そして、割り込み制御装置５で実行される演算処理により、図２に示すように、前記ステップＳ１の判定が「Ｙｅｓ」となり、ステップＳ３で、リフレッシュ要求割り込み信号がＣＰＵ１１に出力され、ステップＳ４で、リフレッシュフラグが「０」とされた後、この演算処理を終了する。そして、ＣＰＵ１１で、そのリフレッシュ要求割り込み信号に応じて表示体制御装置９を制御し、表示体制御装置９で、コレステリック液晶表示体１０に画面リフレッシュを行う。
【００１９】
このように、本実施形態の案内板１にあっては、コレステリック液晶表示体１０に前回の画面リフレッシュが行われてから一定時間以上経過した後、利用者が表示内容を見ていないときに、コレステリック液晶表示体１０に画面リフレッシュを行うようにした。そのため、例えば、単に一定時間が経過したときに画面リフレッシュを行う方法と異なり、利用者が表示内容を見ているときに、画面リフレッシュの実行を控えて、表示内容が消えてしまうことを防止でき、表示内容が消えるという不快感を与えることを防止できる。
【００２０】
なお、本実施形態では、案内板１の表示内容を見ることができる範囲に人間がいることを、人感センサ３とＡＤＣ４とを用いて検出する例を示したが、これに限られるものではない。例えば、前記人感センサ３とＡＤＣ４とに代えて、撮像装置１２と画像処理装置１３とを用いて検出するようにしてもよい。具体的には、図３に示すように、撮像装置１２により、案内板１の表示内容を見ることができる範囲の画像を撮像し、その画像を画像処理装置１３に出力し、画像処理装置１３により、その出力された画像と予め撮像された画像（前記範囲に人間がいないときの画像）とを比較して、それらが一致するか否か（前記範囲に人間がいないか否か）を判定し、一致する場合には（人間がいない場合には）デジタル信号「１」を割り込み制御装置５に出力し、一致しない場合には（人間がいる場合には）デジタル信号「０」を割り込み制御装置５に出力するようにしてもよい。
【００２１】
また、ＲＴＣ２、割り込み制御装置５、ＲＯＭ６、ＲＡＭ７、ＣＰＵ８、表示体制御装置９、バス１１、及び画像処理装置１３（制御部）を案内板１毎に設ける例を示したが、これに限られるものではない。例えば、比較的近いところで複数の案内板１を用いる場合には、図４に示すように、それらの制御部に代えて、全案内板１の制御部の機能を一台で実現する画像処理サーバ１３’を設けるようにしてもよい。そのようにすれば、各案内板１毎に制御部を設ける必要がなく、製造コストを小さくすることができる。
【００２２】
＜第２実施形態＞
次に、本発明の情報表示装置の第２実施形態を図面に基づいて説明する。
この第２実施形態は、コレステリック液晶表示体１０に画面リフレッシュが行われてから一定時間以上経過した場合、コレステリック液晶表示体１０への入射光量が所定閾値（コレステリック液晶表示体１０の表示が見えなくなるくらいに小さい光量）以下であるときに、再度画面リフレッシュを行うようにした点が前記第１実施形態と異なる。
具体的には、図５に示すように、前記第１実施形態の人感センサ３に代えて、コレステリック液晶表示体１２への入射光量を検出し、その検出結果を示すアナログ信号をＡＤＣ４に出力する光センサ１２を備えるとともに、ＡＤＣ４で、光センサ１２から出力されるアナログ信号をデジタル信号（コレステリック液晶表示体１０の表示内容が十分に見えるくらいに入射光量が大きい場合には「０」をとり、表示内容が見えなくなるくらいに入射光量が小さい場合には「１」をとる信号）に変換して割り込み制御装置５に出力する。
【００２３】
＜案内板の具体的動作＞
次に、本実施形態の案内板１の動作を具体的状況に基づいて詳細に説明する。
まず、コレステリック液晶表示体１０に画面リフレッシュが行われてから予め定められた一定時間が経過し、割り込み制御装置５で、リフレッシュフラグが「１」のセット状態とされたとする。また、その際、コレステリック液晶表示体１０の表示を十分に見ることができるくらいに周囲の明るさ大きかったとすると、光センサ１２で、案内板１の表示内容を見ることができるくらいに入射光量が大きいことが検出され、その検出結果を示すアナログ信号がＡＤＣ４に出力され、ＡＤＣ４で、その出力されたアナログ信号がデジタル信号「０」（案内板１の表示内容が十分に見えるくらいに入射光量が大きいことを示すデジタル信号）に変換されて割り込み制御装置５に出力され、割り込み制御装置５の演算処理で、図２に示すように、前記ステップＳ１及びＳ２の判定が繰り返される。
【００２４】
やがて、周囲が暗くなり、光センサ１２で、案内板１の表示内容を見えなくなるくらいに入射光量が小さく検出され、その検出結果を示すアナログ信号がＡＤＣ４に出力され、ＡＤＣ４で、その出力されたアナログ信号がデジタル信号「１」（案内板１の表示内容が見えなくなるくらいに入射光量が小さいことを示すデジタル信号）に変換されて割り込み制御装置５に出力され、割り込み制御装置５の演算処理で、前記ステップＳ１の判定が「Ｙｅｓ」となり、ステップＳ３及びステップＳ４を経て、この演算処理を終了する。そして、表示体制御装置９で、コレステリック液晶表示体１０に画面リフレッシュを行う。
【００２５】
以上、上記実施形態あっては、図１、図３、図５のコレステリック液晶表示体１０が特許請求の範囲に記載の記憶性表示体を構成し、以下同様に、図１、図３、図５のＲＴＣ２が時間経過検出手段を構成し、図１の人感センサ、ＡＤＣ４、図３の撮像装置１２、画像処理装置１３、図５の光センサ１５、ＡＤＣ４が閲覧状態検出手段を構成し、図１、図３、図５のＣＰＵ８、表示体制御装置９、コレステリック液晶表示体１０、図２のステップＳ１、Ｓ３が画面リフレッシュ手段を構成する。
【００２６】
なお、本発明の情報表示装置は、上記実施の形態の内容に限定されるものではなく、本発明の趣旨を逸脱しない範囲で適宜変更可能である。
例えば、本発明の情報表示装置を、コレステリック液晶表示体に時刻表を表示させる案内板に適用する例を示したが、これに限られるものではない。例えば、広告ポスターや各種タイムテーブル、美術館の展示品の解説等、利用者が表示内容を見ているときには恒常的に表示させておくことが要求されるものをコレステリック液晶表示体に表示する表示装置に適用してもよい。
【図面の簡単な説明】
【００２７】
【図１】第１実施形態の案内板の内部構成を示すブロック図である。
【図２】割り込み制御装置で行われる演算処理のフローチャートである。
【図３】第１実施形態の変形例を説明するための説明図である。
【図４】第１実施形態の変形例を説明するための説明図である。
【図５】第２実施形態の案内板の内部構成を示すブロック図である。
【符号の説明】
【００２８】
１は案内板、２はＲＴＣ、３は人感センサ、４はＡＤＣ、５は割り込み制御装置、６はＲＯＭ、７はＲＡＭ、８はＣＰＵ、９は表示体制御装置、１０は表示体、１１はバス
【図１】
2007094275.tif 000003
【図２】
2007094275.tif 000004
【図３】
2007094275.tif 000005
【図４】
2007094275.tif 000006
【図５】
2007094275.tif 000007